(57)【要約】      （修正有）【課題】ラップラウンド式の箱体に組み立て可能であり、かつ省資源化を図ることができる箱用シートを提供する。【解決手段】箱用シートは、天面パネル１、第１側面パネル２、底面パネル３及び第２側面パネル４と、天面パネルの側縁から延出する一対の上外フラップ５と、底面パネルの側縁から延出する一対の下外フラップ６と、第１側面パネルの側縁から延出する一対の第１内フラップ７と、第２側面パネルの側縁から延出する一対の第２内フラップ８とを備え、天面パネルと底面パネルが上下方向に対向し、かつ第１側面パネルと第２側面パネルが左右方向に対向して箱型に組み立て可能であり、第１側面パネルの上下方向長さが第２側面パネルの上下方向長さよりも大きく、組立状態で、天面パネルの第１側面パネルに連接される側と反対側の端縁と第２側面パネルの底面パネルに連接される側と反対側の端縁との間に隙間を有する。【選択図】図１
0003229685.tif 000002
【実用新案登録請求の範囲】
【請求項１】
一方側から他方側に順に連接される天面パネル、第１側面パネル、底面パネル及び第２側面パネルと、
上記天面パネルの両側の側縁から延出する一対の上外フラップと、
上記底面パネルの両側の側縁から延出する一対の下外フラップと、
上記第１側面パネルの両側の側縁から延出する一対の第１内フラップと、
上記第２側面パネルの両側の側縁から延出する一対の第２内フラップと
を備え、上記天面パネル及び上記底面パネルが上下方向に対向し、かつ上記第１側面パネル及び上記第２側面パネルが左右方向に対向する箱型に組み立て可能な箱用シートであって、
上記第１側面パネルの上下方向長さが上記第２側面パネルの上下方向長さよりも大きく、
組立状態で上記天面パネルの上記第１側面パネルに連接される側と反対側の端縁と上記第２側面パネルの上記底面パネルに連接される側と反対側の端縁との間に隙間が設けられる箱用シート。
【請求項２】
上記天面パネルの上記第１側面パネルに連接される側と反対側の端縁、及び上記第２側面パネルの上記底面パネルに連接される側と反対側の端縁に他のパネルが連接されていない請求項１に記載の箱用シート。
【請求項３】
上記上外フラップ及び上記下外フラップの延出方向の合計長さが上記第１側面パネルの上下方向長さよりも小さい請求項１又は請求項２に記載の箱用シート。
【請求項４】
上記天面パネルと上記一対の上外フラップとの境界線に第１破断容易線が設けられている請求項１、請求項２又は請求項３に記載の箱用シート。
【請求項５】
上記天面パネルと上記第１側面パネルとの境界線に第２破断容易線が設けられている請求項４に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に広く用いられている。この箱体として、一方側から他方側に順に連接される天面パネル、第１側面パネル、底面パネル及び第２側面パネルを四角筒状に接続したうえで、第１側面パネル及び第２側面パネルの側縁からそれぞれ延出する内フラップを内側に折り曲げ、さらに天面パネル及び底面パネルの側縁からそれぞれ延出する外フラップを内側に折り曲げて内フラップの外面に貼着することで組み立てられるラップラウンド式の箱体が知られている。通常この箱体は、天面パネルから延出する貼着片を第２側面パネルの端部に貼着することで、天面パネル、第１側面パネル、底面パネル及び第２側面パネルが四角筒状に接続される構成とされている（特開２０１５−１１３１２９号公報参照）。
【先行技術文献】
【特許文献】
【０００３】
【特許文献１】特開２０１５−１１３１２９号公報
【考案の概要】
【考案が解決しようとする課題】
【０００４】
このように、従来のラップラウンド式の箱体は、天面パネルと第２側面パネルとが貼着片を介して接続されている。しかしながら、この従来の構成によると、シート面積が大きくなり、省資源化を図り難い。
【０００５】
本考案は、このような不都合に鑑みてなされたものであり、ラップラウンド式の箱体に組み立て可能であって、かつ省資源化を図ることが可能な箱用シートを提供することを目的とする。
【課題を解決するための手段】
【０００６】
上記課題を解決するためになされた本考案の一態様に係る箱用シートは、一方側から他方側に順に連接される天面パネル、第１側面パネル、底面パネル及び第２側面パネルと、上記天面パネルの両側の側縁から延出する一対の上外フラップと、上記底面パネルの両側の側縁から延出する一対の下外フラップと、上記第１側面パネルの両側の側縁から延出する一対の第１内フラップと、上記第２側面パネルの両側の側縁から延出する一対の第２内フラップとを備え、上記天面パネル及び上記底面パネルが上下方向に対向し、かつ上記第１側面パネル及び上記第２側面パネルが左右方向に対向する箱型に組み立て可能な箱用シートであって、上記第１側面パネルの上下方向長さが上記第２側面パネルの上下方向長さよりも大きく、組立状態で上記天面パネルの上記第１側面パネルに連接される側と反対側の端縁と上記第２側面パネルの上記底面パネルに連接される側と反対側の端縁との間に隙間が設けられる。
【考案の効果】
【０００７】
本考案の一態様に係る箱用シートは、ラップラウンド式の箱体に組み立て可能であって、かつ省資源化を図ることができる。
【図面の簡単な説明】
【０００８】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体の天面を開放する途中の状態を示す模式的斜視図である。
【図４】図４は、図２の箱体の天面パネルを切り離した状態を示す模式的斜視図である。
【図５】図５は、図１の箱用シートとは異なる実施形態に係る箱用シートを示す模式的平面図である。
【考案を実施するための形態】
【０００９】
［本考案の実施形態の説明］
最初に本考案の実施態様を列記して説明する。
【００１０】
本考案の一態様に係る箱用シートは、一方側から他方側に順に連接される天面パネル、第１側面パネル、底面パネル及び第２側面パネルと、上記天面パネルの両側の側縁から延出する一対の上外フラップと、上記底面パネルの両側の側縁から延出する一対の下外フラップと、上記第１側面パネルの両側の側縁から延出する一対の第１内フラップと、上記第２側面パネルの両側の側縁から延出する一対の第２内フラップとを備え、上記天面パネル及び上記底面パネルが上下方向に対向し、かつ上記第１側面パネル及び上記第２側面パネルが左右方向に対向する箱型に組み立て可能な箱用シートであって、上記第１側面パネルの上下方向長さが上記第２側面パネルの上下方向長さよりも大きく、組立状態で上記天面パネルの上記第１側面パネルに連接される側と反対側の端縁と上記第２側面パネルの上記底面パネルに連接される側と反対側の端縁との間に隙間が設けられる。
【００１１】
当該箱用シートは、上記天面パネル及び上記底面パネルを上下方向に対向させ、かつ上記第１側面パネル及び上記第２側面パネルを左右方向に対向させつつ、上記一対の第１内フラップ及び上記一対の第２内フラップを内側に折り曲げ、さらに上記一対の上外フラップ及び上記一対の下外フラップを内側に折り曲げて、上記第１内フラップ及び上記第２内フラップと上記上外フラップ及び上記下外フラップとを貼着することでラップラウンド式の箱体に組み立てられる。当該箱用シートは、上記第１側面パネルの上下方向長さが上記第２側面パネルの上下方向長さよりも大きく、組立状態で上記天面パネルの上記第１側面パネルに連接される側と反対側の端縁と上記第２側面パネルの上記底面パネルに連接される側と反対側の端縁との間に隙間が設けられるので、省資源化を図ることができる。
【００１２】
当該箱用シートは、上記天面パネルの上記第１側面パネルに連接される側と反対側の端縁、及び上記第２側面パネルの上記底面パネルに連接される側と反対側の端縁に他のパネルが連接されていないとよい。このように、上記天面パネルの上記第１側面パネルに連接される側と反対側の端縁、及び上記第２側面パネルの上記底面パネルに連接される側と反対側の端縁に他のパネルが連接されていないことによって、省資源化を促進することができる。
【００１３】
上記上外フラップ及び上記下外フラップの延出方向の合計長さが上記第１側面パネルの上下方向長さよりも小さいとよい。このように、上記上外フラップ及び上記下外フラップの延出方向の合計長さが上記第１側面パネルの上下方向長さよりも小さいことによって、省資源化を促進することができる。
【００１４】
上記天面パネルと上記一対の上外フラップとの境界線に第１破断容易線が設けられているとよい。このように、上記天面パネルと上記一対の上外フラップとの境界線に第１破断容易線が設けられていることによって、上記第１破断容易線を破断して箱体の天面を開放することで、箱体に収容されている物品を容易に取り出すことができる。当該箱用シートを組み立ててなる箱体は、上記天面パネルと上記第２側面パネルとの間に隙間が設けられているので、この隙間に手を入れて上記第１破断容易線を容易に破断することができる。
【００１５】
上記天面パネルと上記第１側面パネルとの境界線に第２破断容易線が設けられているとよい。このように、上記天面パネルと上記第１側面パネルとの境界線に第２破断容易線が設けられていることによって、上記第１破断容易線から連続して上記第２破断容易線を破断することで、上記天面パネルを切り離し、箱体の天面を確実に開放することができる。
【００１６】
なお、本考案において、「左右方向」とは、箱用シートを組み立ててなる箱体において想定される一般的な使用態様における水平方向をいう。また、「上」とは、上記左右方向を基準とする上を意味し、「下」とは、上記左右方向を基準とする下を意味する。「内」とは、箱用シートを組み立ててなる箱体における「内」を意味し、「外」とは上記箱体における「外」を意味する。
【００１７】
［本考案の実施形態の詳細］
以下、適宜図面を参照しつつ、本考案の実施の形態を詳説する。
【００１８】
［第一実施形態］
＜箱用シート＞
図１の箱用シート１０は、一方側から他方側に順に連接される天面パネル１、第１側面パネル２、底面パネル３及び第２側面パネル４と、天面パネル１の両側の側縁から延出する一対の上外フラップ５と、底面パネル３の両側の側縁から延出する一対の下外フラップ６と、第１側面パネル２の両側の側縁から延出する一対の第１内フラップ７と、第２側面パネル４の両側の側縁から延出する一対の第２内フラップ８とを備える。なお、図１において、太い実線はシートを切断して形成される切断線を示し、細い実線はシートの内面を筋押しして形成される罫線を示す。
【００１９】
当該箱用シート１０は、天面パネル１及び底面パネル３が上下方向に対向し、かつ第１側面パネル２及び第２側面パネル４が左右方向に対向する箱型に組み立て可能であり、具体的には図２の箱体２０に組み立てられる。
【００２０】
当該箱用シート１０を箱体２０に組み立てる手順の一例について説明する。まず、底面パネル３の内面に箱体２０に収容する物品を載置する。その後、第２側面パネル４を底面パネル３に対して略９０°立ち上げ、第２側面パネル４の両側の側縁から延出する一対の第２内フラップ８を内側に略９０°折り曲げる。さらに、第１側面パネル２を底面パネル３に対して略９０°立ち上げたうえ、天面パネル１を底面パネル３と対向するように折り曲げる。この際、天面パネル１は、底面パネル３に載置された物品に下方から支持されることで、底面パネル３と平行に維持される。続いて、第１側面パネル２の両側の側縁から延出する一対の第１内フラップ７を内側に略９０°折り曲げる。そして、天面パネル１の両側の側縁から延出する一対の上外フラップ５及び底面パネル３の両側の側縁から延出する一対の下外フラップ６を内側に略９０°折り曲げると共に、上外フラップ５及び下外フラップ６と第１内フラップ７及び第２内フラップ８との重なり合う部分を接着剤で貼着する。これにより、図２のラップラウンド式の箱体２０が組み立てられる。
【００２１】
当該箱用シート１０は、第１側面パネル２の上下方向長さＬ１が第２側面パネル４の上下方向長さＬ２よりも大きい。これにより、図２に示すように、当該箱用シート１０は、箱体２０に組み立てられた状態で、天面パネル１の第１側面パネル２に連接される側と反対側の端縁１ａと第２側面パネル４の底面パネル３に連接される側と反対側の端縁４ａとの間に隙間が設けられる。
【００２２】
当該箱用シート１０は、１枚のシートから構成される。当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。当該箱用シート１０が段ボールシートから構成される場合、段ボールシートの中芯の稜線方向は、天面パネル１、第１側面パネル２、底面パネル３及び第２側面パネル４の連接方向と垂直な方向とすることができる。この構成によると、後述の第１破断容易線１１の破断による箱体２０の天面の開放が容易となる。
【００２３】
（天面パネル）
天面パネル１は矩形状である。天面パネル１は、連接方向の他方側で第１側面パネル２に接続されている。また、天面パネル１の両側の側縁からはそれぞれ上外フラップ５が延出している。一方、天面パネル１の第１側面パネル２に連接される側と反対側の端縁１ａには他のパネルは連接されていない。
【００２４】
天面パネル１と一対の上外フラップ５との境界線には第１破断容易線１１が設けられている。この構成によると、当該箱用シート１０を組み立ててなる箱体２０は、図３に示すように、第１破断容易線１１を破断して天面を開放することで、箱体２０に収容されている物品を容易に取り出すことができる。また、箱体２０では、天面パネル１と第２側面パネル４との間に隙間が設けられているので、作業者はこの隙間に手を入れて第１破断容易線１１を容易に破断することができる。
【００２５】
第１破断容易線１１の具体的な構成としては、特に限定されるものではないが、例えば複数の略Ｌ字状の切込みが間隔を空けて配置されたジッパー状の破断容易線とすることができる。
【００２６】
天面パネル１と第１側面パネル２との境界線には第２破断容易線１２が設けられている。この構成によると、当該箱用シート１０を組み立ててなる箱体２０は、第１破断容易線１１から連続して第２破断容易線１２を破断し、天面パネル１を切り離すことで、図４に示すように天面を確実に開放することができる。
【００２７】
第２破断容易線１２の具体的な構成としては、特に限定されるものではないが、例えば複数の直線状の切込みが間隔を空けて配置されたミシン目とすることができる。
【００２８】
天面パネル１の連接方向長さ（第１破断容易線１１の延在方向と平行な方向の長さ）としては、例えば１０ｃｍ以上４０ｃｍ以下とすることができる。天面パネル１の幅（第２破断容易線１２の延在方向と平行な方向の長さ）としては、例えば１０ｃｍ以上５０ｃｍ以下とすることができる。
【００２９】
（第１側面パネル）
第１側面パネル２は矩形状であり、より詳しくは上下方向を短手方向とする長方形状である。第１側面パネル２の上下方向長さＬ１としては、例えば５ｃｍ以上３０ｃｍ以下とすることができる。第１側面パネル２の幅は、天面パネル１の幅と略等しい。
【００３０】
（底面パネル）
底面パネル３は矩形状である。底面パネル３は、天面パネル１と略同一形状とすることができる。
【００３１】
（第２側面パネル）
第２側面パネル４は矩形状であり、より詳しくは上下方向を短手方向とする長方形状である。上述のように、第２側面パネル４の上下方向長さＬ２は、第１側面パネル２の上下方向長さＬ１よりも小さい。第１側面パネル２の上下方向長さＬ１と第２側面パネル４の上下方向長さＬ２との差の下限としては、１ｃｍが好ましく、２ｃｍがより好ましい。一方、第１側面パネル２の上下方向長さＬ１と第２側面パネル４の上下方向長さＬ２との差の上限としては、７ｃｍが好ましく、４ｃｍがより好ましい。上記差が上記下限に満たないと、省資源化を十分に促進できないおそれがある。逆に、上記差が上記上限を超えると、箱体２０に収容される物品が箱体２０外に露出し過ぎて、これらの物品が破損等するおそれが高くなる。
【００３２】
第２側面パネル４の幅は、天面パネル１の幅と略等しい。
【００３３】
第２側面パネル４の底面パネル３に連接される側と反対側の端縁４ａには他のパネルは連接されていない。当該箱用シート１０を組み立ててなる箱体２０は、内部に収容される物品によって下方から支持されることで天面パネル１が底面パネル３と平行に維持される。そのため、天面パネル１、第１側面パネル２、底面パネル３及び第２側面パネル４が四角筒状に接続されなくても、上外フラップ５及び下外フラップ６と第１内フラップ７及び第２内フラップ８とが貼着されることで、箱体２０の形状を安定的に維持することができる。当該箱用シート１０は、天面パネル１の端縁１ａ及び第２側面パネル４の端縁４ａに他のパネルが連接されていないことによって、省資源化を促進することができる。すなわち、当該箱用シート１０は、天面パネル１と第２側面パネル４とを接続するための糊代片を省略することで、省資源化を促進することができる。
【００３４】
（上外フラップ）
上外フラップ５は略矩形状である。上外フラップ５は、天面パネル１の側縁の略全領域から延出している。上外フラップ５の延出方向長さは、第１側面パネル２の上下方向長さＬ１の１／２以下であり、第１側面パネル２の上下方向長さＬ１の１／２よりも小さいことが好ましい。
【００３５】
（下外フラップ）
下外フラップ６は略矩形状である。下外フラップ６は、底面パネル３の側縁の略全領域から延出している。下外フラップ６の延出方向長さは、上外フラップ５の延出方向長さと同じとすることができる。
【００３６】
上外フラップ５及び下外フラップ６の延出方向の合計長さは、第１側面パネル２の上下方向長さＬ１よりも小さいことが好ましい。この構成によると、省資源化を促進することができる。また、この構成によると、上外フラップ５と下外フラップ６との間の隙間から箱体２０内の物品を視認することができ、箱体２０のディスプレイとしての機能を高めることができる。
【００３７】
（第１内フラップ）
第１内フラップ７は略矩形状である。第１内フラップ７は、第１側面パネル２の側縁の略全領域から延出している。第１内フラップ７の延出方向長さは、上外フラップ５の延出方向長さと同じとすることができる。
【００３８】
（第２内フラップ）
第２内フラップ８は略矩形状である。第２内フラップ８は、第２側面パネル４の側縁の略全領域から延出している。第２内フラップ８の延出方向長さは、上外フラップ５の延出方向長さと同じとすることができる。
【００３９】
＜利点＞
当該箱用シート１０は、第１側面パネル２の上下方向長さＬ１が第２側面パネル４の上下方向長さＬ２よりも大きく、組立状態で天面パネル１の第１側面パネル２に連接される側と反対側の端縁１ａと第２側面パネル４の底面パネル３に連接される側と反対側の端縁４ａとの間に隙間が設けられるので、省資源化を図ることができる。
【００４０】
当該箱用シート１０は、天面パネル１の端縁１ａと第２側面パネル４の端縁４ａとの間の隙間から箱体２０内の物品を視認することが可能である。また、当該箱用シート１０は、上外フラップ５と下外フラップ６との間の隙間から箱体２０内の物品を視認することが可能である。つまり、当該箱用シート１０によると、左右方向における３方向から箱体２０内の物品を視認することが可能である。さらに、天面パネル１の端縁１ａと第２側面パネル４の端縁４ａとの間の隙間と、上外フラップ５と下外フラップ６との間の隙間とでは、上下方向に位置がずれている。そのため、当該箱用シート１０によると、箱体２０内の物品の所望の位置を視認しやすい。
【００４１】
［第二実施形態］
＜箱用シート＞
図５の箱用シート３０は、一方側から他方側に順に連接される天面パネル３１、第１側面パネル３２、底面パネル３３及び第２側面パネル３４と、天面パネル３１の両側の側縁から延出する一対の上外フラップ３５と、底面パネル３３の両側の側縁から延出する一対の下外フラップ３６と、第１側面パネル３２の両側の側縁から延出する一対の第１内フラップ３７と、第２側面パネル３４の両側の側縁から延出する一対の第２内フラップ３８とを備える。
【００４２】
当該箱用シート３０は、天面パネル３１及び底面パネル３３が上下方向に対向し、かつ第１側面パネル３２及び第２側面パネル３４が左右方向に対向する箱型に組み立て可能である。第１側面パネル３２の上下方向長さは、第２側面パネル３４の上下方向長さよりも大きい。当該箱用シート３０は、組立状態で、天面パネル３１の第１側面パネル３２に連接される側と反対側の端縁３１ａと第２側面パネル３４の底面パネル３３に連接される側と反対側の端縁３４ａとの間に隙間が設けられる。
【００４３】
当該箱用シート３０は、天面パネル３１と第１側面パネル３２との境界線に上述の第２破断容易線が設けられていないこと、及び第１側面パネル３２に開口３２ａ、３２ｂが形成されていること以外、図１の箱用シート１０と概略同様の構成とすることができる。
【００４４】
＜利点＞
当該箱用シート３０は、図１の箱用シート１０と同様、ラップラウンド式の箱体に組み立て可能であって、かつ省資源化を図ることができる。
【００４５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４６】
例えば上記天面パネルと上記一対の上外フラップとの境界線には上述の第１破断容易線が設けられていなくてもよい。また、当該箱用シートは、上記天面パネルの一部に破断容易線によって画定される切り離し領域が設けられていてもよい。
【産業上の利用可能性】
【００４７】
以上のように、本考案の一態様に係る箱用シートは、シート面積を小さくすることで省資源化を図るのに適している。
【符号の説明】
【００４８】
１、３１  天面パネル
１ａ、３１ａ  端縁
２、３２  第１側面パネル
３、３３  底面パネル
４、３４  第２側面パネル
４ａ、３４ａ  端縁
５、３５  上外フラップ
６、３６  下外フラップ
７、３７  第１内フラップ
８、３８  第２内フラップ
１０、３０  箱用シート
１１  第１破断容易線
１２  第２破断容易線
２０  箱体
３２ａ、３２ｂ  開口
Ｌ１  第１側面パネルの上下方向長さ
Ｌ２  第２側面パネルの上下方向長さ
【図１】
0003229685.tif 000003
【図２】
0003229685.tif 000004
【図３】
0003229685.tif 000005
【図４】
0003229685.tif 000006
【図５】
0003229685.tif 000007